(57)【要約】【課題】建物の外壁タイルに浮きが生じた場合にタイルを残置して修繕を行う外壁タイルの修繕工法を提供する。【解決手段】外壁タイル１１の修繕範囲に渡って養生テープ１２を貼着する工程と、貼着した養生テープに沿って所定の間隔を開けて複数のアンカー１３を打設すると共に、アンカーに長尺なアングル１４を取り付ける工程と、修繕範囲における目地部２４を穿孔して孔部１７を複数箇所に形成し、孔部から外壁タイルの下面に接着剤を注入する工程と、アンカーに螺着したナット１６を締め付けてアングルを外壁タイルに圧着して、浮いている当該外壁タイルを下地コンクリート壁に密着させる工程と、接着剤の充填状態の確認後に少なくとも目地部に、外壁タイルを固定するための固定ピンを打ち込む工程と、接着剤の硬化後にアングルと養生テープとを撤去して、アンカー孔を補修する工程とを有する。【選択図】図５
2016125217.tif 000002
【特許請求の範囲】
【請求項１】
建物の外壁に貼設したタイルに浮きが生じた場合に、当該タイルを残置して修繕を行う外壁タイルの修繕工法であって、
該外壁タイルの修繕範囲に渡って養生テープを貼着する工程と、
該貼着した養生テープに沿って所定の間隔を開けて複数のアンカーを打設すると共に、該アンカーに長尺な修繕用押圧手段を取り付ける工程と、
前記修繕範囲における目地部を穿孔して孔部を複数箇所に形成し、該孔部から前記外壁タイルの下面に接着剤を注入する工程と、
前記アンカーに螺着したナットを締め付けて前記修繕用押圧手段を前記外壁タイルに圧着して、浮いている当該外壁タイルを下地コンクリート壁に密着させる工程と、
前記接着剤の充填状態の確認後に少なくとも目地部に、前記外壁タイルを固定するための固定ピンを打ち込む工程と、
前記接着剤の硬化後に前記修繕用押圧手段と前記養生テープとを撤去して、アンカー孔を補修する工程と、を有することを
を特徴とする外壁タイルの修繕工法。
【請求項２】
前記アンカーの打設は、前記タイルの中央部に行うこと
を特徴とする請求項１に記載の外壁タイルの修繕工法。
【請求項３】
前記目地部の穿孔は、目地交差部に行うこと
を特徴とする請求項１に記載の外壁タイルの修繕工法。
【発明の詳細な説明】
【技術分野】
【０００１】
本発明は、建物の外壁タイルに浮きが生じた場合に、当該タイルを残置して修繕を行う、外壁タイルの修繕工法に関するものである。
【背景技術】
【０００２】
従来、建物の外壁に貼設したタイルは、下地躯体の乾燥収縮や、日射によるタイル表面と下地躯体との温度差による伸縮差等が原因で、１年間に貼設面積の１％程度の浮きが発生するといわれている。
【０００３】
そのような事情によって、経年劣化した多くの建物で外壁タイルの補修が行われているが、特に外壁タイルが大きく浮いた部分については、その補修をすることが困難であり、この場合は、浮いている部分を全て剥がして新規にタイルを貼り直しているのが現状である。
【０００４】
なお、特開２０００−２９７５３９号公報には、壁等の浮き部の補修工法の発明が開示されており（特許文献１参照）、特開２００５−７６２２３号公報には、タイルの剥落防止工法の発明が開示されている（特許文献２参照）。
【先行技術文献】
【特許文献】
【０００５】
【特許文献１】特開２０００−２９７５３９号公報
【特許文献２】特開２００５−７６２２３号公報
【発明の概要】
【発明が解決しようとする課題】
【０００６】
このように外壁タイルに浮きが生じた場合は、当該外壁タイルを撤去して新規にタイルを貼設するが、この場合は、撤去時にタイル片が落下するおそれがあるだけでなく、廃棄物が発生するという問題点がある。
【０００７】
また、日射等により色があせた既存のタイルと、新規なタイルとでは色違いが生じて、見た目に違和感があって調和が取れないという問題点がある。
【０００８】
そして、タイル片落下の防止や、カッター切断時の埃防止のためには、外壁に足場を架設して行う必要があるが、諸事情により足場が仮設できない場合もある。
【０００９】
さらには、貼り替え用のタイルを焼成するのには約６０〜７０日程度の日数を要するので、たとえ貼設範囲が狭い場合であっても費用と期間とが大きくなって施工コストが嵩むという問題点もある。
【００１０】
従って、従来例における場合においては、上述の様々な問題点を回避するために、既存の外壁タイルを撤去せずに残置したままで修繕を行うことに解決しなければならない課題を有している。
【課題を解決するための手段】
【００１１】
前記従来例の課題を解決するための本発明の要旨は、建物の外壁に貼設したタイルに浮きが生じた場合に、当該タイルを残置して修繕を行う外壁タイルの修繕工法であって、該外壁タイルの修繕範囲に渡って養生テープを貼着する工程と、該貼着した養生テープに沿って所定の間隔を開けて複数のアンカーを打設すると共に、該アンカーに長尺な修繕用押圧手段を取り付ける工程と、前記修繕範囲における目地部を穿孔して孔部を複数箇所に形成し、該孔部から前記外壁タイルの下面に接着剤を注入する工程と、前記アンカーに螺着したナットを締め付けて前記修繕用押圧手段を前記外壁タイルに圧着して、浮いている当該外壁タイルを下地コンクリート壁に密着させる工程と、前記接着剤の充填状態の確認後に少なくとも目地部に、前記外壁タイルを固定するための固定ピンを打ち込む工程と、前記接着剤の硬化後に前記修繕用押圧手段と前記養生テープとを撤去して、アンカー孔を補修する工程と、を有することである。
【００１２】
また、前記アンカーの打設は、前記タイルの中央部に行うこと、；
前記目地部の穿孔は、目地交差部に行うこと、；
を含むものである。
【発明の効果】
【００１３】
本発明に係る外壁タイルの修繕工法によれば、既存の外壁タイルを撤去せずに残置したままで修繕を行うことができる。
従って、新規にタイルを貼り直す場合に比較して、（１）タイル片が落下する危険を回避できる、（２）カッター切断時の埃の発生を回避できる、（３）廃棄物の発生を抑制できる、（４）足場の架設や新規タイルの焼成が必要ないので、施工期間の短縮と施工費用の削減を図ることができる、（５）新規なタイルとの色違いの問題がないので、修繕前の見栄えを維持できる。
また、外壁タイルに養生テープを貼着するので、当該タイルの剥離、割れ、あるいはキズを防止できるという種々の優れた効果を奏する。
【００１４】
アンカーの打設は、タイルの中央部に行うことによって、タイル端部の割れや破損を防止するという優れた効果を奏する。
【００１５】
目地部の穿孔は、目地交差部に行うことによって、孔部から接着剤を注入したときに、孔部の左右上方に位置するタイルと、孔部の左右下方に位置するタイルとの合計４枚以上のタイルの下面に接着剤が行き渡るので、注入効率が良好であり、広範囲のタイルが下地コンクリート壁に接着するという優れた効果を奏する。
【図面の簡単な説明】
【００１６】
【図１】養生テープ１２を貼着してアンカー１３を打設した外壁タイル１１の正面図である。
【図２】アングル１４を取り付けた外壁タイル１１の正面図である。
【図３】アングル１４を取り付けた外壁タイル１１の縦断面図である。
【図４】アングル１４の正面図である。
【図５】目地交差部に孔部１７を形成した外壁タイル１１の正面図である。
【図６】アングル１４を圧着して固定ピン２１を打ち込んだ外壁タイル１１の縦断面図である。
【図７】固定ピン２１の断面図である。
【発明を実施するための形態】
【００１７】
次に、本発明の外壁タイルの修繕工法について図面を参照しながら説明する。まず、建物の外壁タイル１１を打診して浮きの状態を確認し、修繕する範囲を決定する。そして、図１に示すように、外壁タイル１１の修繕範囲に渡って養生テープ１２を貼着する。養生テープ１２はできるだけタイルの中央部に沿って貼着することが望ましい。この養生テープ１２はタイルの剥離、割れ、あるいはキズを防止するのに有効である。
【００１８】
次に、貼着した養生テープ１２に沿って所定の間隔を開けて複数のアンカー１３を打設する。アンカー１３の打設は、タイルの中央部に行うことが望ましい。タイル端部の割れや破損を防止するためである（図１参照）。
【００１９】
アンカー１３には修繕用押圧手段、即ち、アングル１４の長孔１５を挿通してナット１６を螺着して、アングル１４を外壁タイル１１に沿って取り付ける（図２及び図３参照）。
【００２０】
アングル１４の寸法、形状の一例を示すと、一片の幅が５０ｍｍ×５０ｍｍで、長さＬが２１００〜３０００ｍｍ程度である。長孔１５の寸法は、幅１４ｍｍ、長さ４０ｍｍで、この長孔１５が、１０ｍｍの間隔を開けて連続的に設けられる（図４参照）。
【００２１】
なお、アングル１４に代えて、長尺で平板状の圧着用金具（図示せず）を用いても構わない。要するに、適宜の幅と長さとを有して、アンカー１３に挿通できる長孔を備えていればよく、ナット１６を締め付けて外壁タイル１１に圧着できればよい。
【００２２】
次に、修繕範囲における目地部２４を穿孔して孔部１７を複数箇所に形成する（図５参照）。目地部２４の穿孔は、縦横方向の目地交差部に行うことが望ましい。何故ならば、孔部１７から接着剤を注入したときに、孔部１７の左右上方に位置するタイルと、孔部１７の左右下方に位置するタイルとの合計４枚以上のタイルの下面に接着剤が行き渡るので、注入効率が良好であり、広範囲のタイルが下地コンクリート壁１８に接着できるからである。
【００２３】
その後、孔部１７から接着剤２０を注入して、外壁タイル１１の下面１９に接着剤２０を行き渡らせる。
【００２４】
接着剤（エポキシ系樹脂剤）２０は、様々な種類のものを用いることができるが、特に、種類は硬質型で、粘性区分は高粘度形であることが望ましい。
【００２５】
次に、アンカー１３に螺着したナット１６を締め付けて、アングル１４を外壁タイル１１に圧着する。外壁タイル１１の下面は、図６に示すように、下地コンクリート壁１８に密着状態に接着する。
【００２６】
このようにして注入した接着剤２０の充填状態を、打診や孔部１７からの溢れ等で確認した後に、目地部２４又はタイルに固定ピン２１を打ち込んで、外壁タイル１１を下地コンクリート壁１８に固定する（図６参照）。固定ピン２１を打ち込むのは外壁タイル１１の固定を接着剤２０だけに頼らず、確実にするためである。なお、固定ピン２１の打ち込みは、２５箇所／ｍ２程度を基準に行うことが望ましい。
【００２７】
固定ピン２１は、図７に示すようなハイブリッドピンであることが望ましい。固定ピン２１は、テーパーキャップ２２と鋼線２３とからなり、呼び径が５ｍｍで、寸法が４０〜１００ｍｍである。テーパーキャップ２２は、加熱硬化形のアクリル樹脂塗料が塗布されており、外壁タイル１１と色合わせしたものを用いることが望ましい。
【００２８】
接着剤２０の硬化後には、アングル１４と養生テープ１２とを撤去して、アンカー１３を取り外した後のアンカー孔をモルタル等で補修する。その後、外壁タイル１１に所定のクリーニング作業を行う。
【００２９】
以上に説明した各作業の施工期間は次のようである。例えば施工面積が２ｍ２の場合は、まず、アングル１４を外壁タイル１１に圧着する作業までに１日掛かり、次に、固定ピン２１の打ち込み作業からアンカー孔の補修作業までに１日掛かり、最後に、外壁タイル１１のクリーニング作業に１日掛かり、合計３日間で外壁タイルの修繕が完了する。
【００３０】
このように本発明の外壁タイルの修繕工法は、既存の外壁タイルを撤去せずに残置したままで修繕を行うことができる。
従って、新規にタイルを貼り直す場合に生じる様々な問題点、即ち、タイル片が落下する危険性、カッター切断時の埃の発生、廃棄物の発生、施工期間や施工費用が嵩む等の種々な問題点を回避あるいは抑制することができる。
【符号の説明】
【００３１】
１１  外壁タイル
１２  養生テープ
１３  アンカー
１４  アングル（修繕用押圧手段）
１５  長孔
１６  ナット
１７  孔部
１８  下地コンクリート壁
１９  下面
２０  接着剤（エポキシ系樹脂剤）
２１  固定ピン
２２  テーパーキャップ
２３  鋼線
２４  目地部
【図１】
2016125217.tif 000003
【図２】
2016125217.tif 000004
【図３】
2016125217.tif 000005
【図４】
2016125217.tif 000006
【図５】
2016125217.tif 000007
【図６】
2016125217.tif 000008
【図７】
2016125217.tif 000009